(57)【特許請求の範囲】
【請求項１】
第１の信号を基地局に送信し、当該第１の信号に対する前記基地局からの応答を前記受信手段により受信してからさらに第２の信号を前記基地局に送信し、当該第２の信号に対する応答を受信することで、前記基地局との間でのデータパケットの交換を行うことを可能とする送受信手段と、
前記送受信手段により、前記基地局から送信される規制状態を示す規制状態信号を受信すると、前記基地局への信号の送信を規制する送信規制手段と、
を備えた通信端末装置において、
前記送信規制手段は、前記送受信手段にて受信される前記規制状態信号に応じて規制中であると判断した場合、前記第１の信号については送信規制の対象とはせず、前記第２の信号については送信規制の対象とし、
前記送受信手段は、前記送信規制手段により送信が許可されるまで前記第２の信号の送信を行わない
ことを特徴とする通信端末装置。
【請求項２】
前記送信規制手段は、前記送信の規制を、所定の確率でのみ送信を許可することにより行う
ことを特徴とする請求項１に記載の通信端末装置。
【請求項３】
前記第１の信号は、自装置に対する識別信号の付与の要求、あるいは当該識別信号の取得確認の通知であり、
前記第２の信号は、ユーザデータパケットの交換を目的とした接続要求信号である
ことを特徴とする請求項１または２に記載の通信端末装置。
【請求項４】
前記第１の信号は、ＣＤＭＡ２０００方式におけるＵＡＴＩＲｅｑｕｅｓｔ、あるいはＵＡＴＩＣｏｍｐｌｅｔｅであり、
前記第２の信号は、ＣｏｎｎｅｃｔｉｏｎＲｅｑｕｅｓｔである
ことを特徴とする請求項３に記載の通信端末装置。
【請求項５】
前記送信規制手段は、規制率が１００％の場合、前記送受信手段に前記第２の信号の送信を行わせずに送信を終了させる
ことを特徴とする請求項１から３のいずれか一項に記載の通信端末装置。
【請求項６】
基地局との間で信号を送受信する送受信手段を備える通信端末装置の通信制御方法であって、
前記送受信手段により第１の信号を基地局に送信するステップと、
前記第１の信号に対する前記基地局からの応答を前記受信手段により受信してからさらに第２の信号を前記基地局に送信するステップと、
前記第２の信号に対する応答を受信することで、前記基地局との間でのデータパケットの交換を開始するステップと、
前記送受信手段により、前記基地局から送信される規制状態を示す規制状態信号を受信し、当該規制状態信号に応じて規制中であると判断した場合、前記第１の信号については送信規制の対象とはせず、前記第２の信号については送信規制の対象とするよう制御するステップと、
前記規制が行われると、送信が許可されるまで前記第２の信号の送信を行わないよう制御するステップと、
を備えることを特徴とする通信端末装置の通信制御方法。
【発明の詳細な説明】
【技術分野】
【０００１】
本発明は、アクセス規制を制御する通信端末装置及びその通信制御方法に関する。
【背景技術】
【０００２】
例えば、災害時や、正月等特定の日時においては、トラフィックの枯渇を防止するために移動機（携帯端末等）から通信網への通信が規制される場合がある。通信規制は、通信網のシステム側、すなわち例えば全体の制御を行うオペレーションセンター等により実施される。
通信規制時には、通信網のシステム側により規制率が設定され、各携帯端末に規制が行われていることが通知される。規制率は、通信網の携帯端末に対する規制をかける割合を示している。各携帯端末には１６のアクセスオーバーロードクラス（ＡＣＣＯＬＣ）のうち１つ（或いは複数）が割り当てられており、規制中は１６のクラスのうちいくつかのみが発信可能な状態になっている。このとき発信可能な個数はシステム側が決定する。例えば１６のＡＣＣＯＬＣのうち２つが発信可能である場合、規制率は（１６−２）／１６で計算され８７．５％となる。
【０００３】
システムにより規制がかけられている場合、携帯端末は、３ＧＰＰ２で定められた仕様に則ってパーシステンス試験（persistence test）を送信要求の度に行い、これに合格しない限り携帯端末は信号を送信することができない。３ＧＰＰ２（3rd Generation Partnership Project 2）とは、第３世代（3G）移動体通信システムの標準化プロジェクトの一つであり、国際標準のＩＭＴ−２０００http://e-words.jp/w/IMT-2000.html規格のうち、ＣＤＭＡ２０００方式の技術仕様の標準化を行なっている。
【０００４】
ところで、ＣＤＭＡ２０００の規格のうちの１つに、高速データ伝送のみを効率的に支援するＣＤＭＡ２０００  １Ｘ  ＥＶ−ＤＯ（Evolution-Data Optimized/Only）が知られている。１Ｘ  ＥＶ−ＤＯは、データのみを転送し、高速なデータ通信を行うことを目的とした、ＣＤＭＡ２０００ベースの通信システムである。
【０００５】
ＥＶ−ＤＯでは通常、携帯端末をアクセスターミナル（ＡＴ：Access Terminal）と称し、携帯端末と直接通信を行う、通信網の末端装置である基地局及びその制御機を合わせてアクセスネットワーク（ＡＮ：Access Network）と称する。
ＥＶ−ＤＯで携帯端末ＡＴが通信網と通信を行う場合、携帯端末ＡＴは基地局ＡＮに対し、ＵＡＴＩ（Unicast Access Terminal Identifier）と呼ばれる携帯端末の識別情報の割り当てを要求する。
【０００６】
図１に携帯端末ＡＴと基地局ＡＮとの接続完了までのシーケンスを示す。
まず、携帯端末ＡＴが基地局ＡＮに対してＵＡＴＩの割り当てを要求するために、識別情報割り当て要求信号“ＵＡＴＩＲｅｑｕｅｓｔ”を送信する。
基地局ＡＮは、“ＵＡＴＩＲｅｑｕｅｓｔ”を受信したら、基地局ＡＮが“ＵＡＴＩＲｅｑｕｅｓｔ”を受信したことを携帯端末ＡＴに通知する確認応答“ＡＣＡｃｋ”を携帯端末ＡＴに送信する。
【０００７】
次に、基地局ＡＮは携帯端末ＡＴにＵＡＴＩの割り当てを実行し、識別情報割り当て信号“ＵＡＴＩＡｓｓｉｇｎｍｅｎｔ”を携帯端末ＡＴに向けて送信する。
“ＵＡＴＩＡｓｓｉｇｎｍｅｎｔ”を受信した携帯端末ＡＴは、ＵＡＴＩの取得が完了したことを基地局ＡＮに通知する識別情報取得完了信号“ＵＡＴＩＣｏｍｐｌｅｔｅ”を送信する。基地局ＡＮは、“ＵＡＴＩＣｏｍｐｌｅｔｅ”に対する確認応答“ＡＣＡｃｋ”を携帯端末ＡＴに送信する。
【０００８】
次に携帯端末ＡＴは接続要求信号“ＣｏｎｎｅｃｔｉｏｎＲｅｑｕｅｓｔ”を基地局ＡＮに送信し、これを受信した基地局ＡＮは確認応答“ＡＣＡｃｋ”を携帯端末ＡＴに返す。基地局ＡＮは、携帯端末ＡＴに対しトラフィックチャンネルの割り当てを行い、トラフィックチャンネル割り当て信号“ＴｒａｆｆｉｃＣｈａｎｎｅｌＡｓｓｉｇｎｍｅｎｔ”を送信する。さらに“ＴｒａｆｆｉｃＣｈａｎｎｅｌＡｓｓｉｇｎｍｅｎｔ”を受信した携帯端末ＡＴはＰｉｌｏｔ＋ＤＲＣチャンネル“ＲｅｖｅｒｓｅＴｒａｆｆｉｃＣｈａｎｎｅｌ”を送信し、これが基地局ＡＮにより捕捉されると、基地局ＡＮはトラフィックチャンネル確立通知“ＲＴＣＡｃｋ”を送信する。そして、携帯端末ＡＴは、トラフィックチャンネル確立完了通知“ＴｒａｆｆｉｃＣｈａｎｎｅｌＣｏｍｐｌｅｔｅ”を基地局ＡＮに送信する。
以上のようにして携帯端末ＡＴは基地局ＡＮとの通信を確立する。
【発明の開示】
【発明が解決しようとする課題】
【０００９】
上述のようにして携帯端末ＡＴは基地局ＡＮとの通信を確立するが、規制がかけられている場合には、携帯端末ＡＴから基地局への上りＣＤＭＡチャンネル（アクセスチャンネルと呼ばれる）による通信は全て規制の対象となる。従って、通信を確立するまでにアクセスチャンネルにて携帯端末ＡＴが送信する信号は、上述したように“ＵＡＴＩＲｅｑｕｅｓｔ”、“ＵＡＴＩＣｏｍｐｌｅｔｅ”、“ＣｏｎｎｅｃｔｉｏｎＲｅｑｕｅｓｔ”の３回あるので、規制がかけられている場合には、ＥＶ−ＤＯにおいては、携帯端末ＡＴが基地局ＡＮとの通信を確立するまでに少なくとも３回のパーシステンス試験に合格しなければならない。
【００１０】
パーシステンス試験では、合格するまで試験が繰り返されるため、パーシステンス試験の回数が増えれば多くの時間がかかり、携帯端末ＡＴに負担がかかることになる。
【００１１】
本来、規制をかける目的は、ユーザデータパケットを交換するための通信を制限し、ユーザデータパケットを交換するためのトラフィックの確立を抑制することであり、上述した“ＵＡＴＩＲｅｑｕｅｓｔ”、“ＵＡＴＩＣｏｍｐｌｅｔｅ”等、ユーザデータパケット交換が目的ではない信号の送信はトラフィックの枯渇に大きな影響を与えないと予想されるため、この送信まで規制してしまうのはシステム側としても本意ではない。
本発明は、こうした事態を解消するために、規制時において、信号の種別に応じて規制の制御を行うことができる通信端末装置及びその通信制御方法を提供することを目的とする。
【課題を解決するための手段】
【００１２】
第１の観点の発明の通信端末装置は、第１の信号を基地局に送信し、当該第１の信号に対する前記基地局からの応答を前記受信手段により受信してからさらに第２の信号を前記基地局に送信し、当該第２の信号に対する応答を受信することで、前記基地局との間でのデータパケットの交換を行うことを可能とする送受信手段と、前記送受信手段により、前記基地局から送信される規制状態を示す規制状態信号を受信すると、前記基地局への信号の送信を規制する送信規制手段と、を備えた通信端末装置において、前記送信規制手段は、前記送受信手段にて受信される前記規制状態信号に応じて規制中であると判断した場合、前記第１の信号については送信規制の対象とはせず、前記第２の信号については送信規制の対象とし、前記送受信手段は、前記送信規制手段により送信が許可されるまで前記第２の信号の送信を行わない。
【００１３】
好適には、前記送信規制手段は、前記送信の規制を、所定の確率でのみ送信を許可することにより行う。
【００１４】
好適には、前記第１の信号は、自装置に対する識別信号の付与の要求、あるいは当該識別信号の取得確認の通知であり、前記第２の信号は、ユーザデータパケットの交換を目的とした接続要求信号である。
【００１５】
好適には、前記第１の信号は、ＣＤＭＡ２０００方式におけるＵＡＴＩＲｅｑｕｅｓｔ、あるいはＵＡＴＩＣｏｍｐｌｅｔｅであり、前記第２の信号は、ＣｏｎｎｅｃｔｉｏｎＲｅｑｕｅｓｔである。
好適には、前記送信規制手段は、規制率が１００％の場合、前記送受信手段に前記第２の信号の送信を行わせずに送信を終了させる。
【００１６】
第２の観点の発明の通信端末装置の通信制御方法は、基地局との間で信号を送受信する送受信手段を備える通信端末装置の通信制御方法であって、前記送受信手段により第１の信号を基地局に送信するステップと、前記第１の信号に対する前記基地局からの応答を前記受信手段により受信してからさらに第２の信号を前記基地局に送信するステップと、前記第２の信号に対する応答を受信することで、前記基地局との間でのデータパケットの交換を開始するステップと、前記送受信手段により、前記基地局から送信される規制状態を示す規制状態信号を受信し、当該規制状態信号に応じて規制中であると判断した場合、前記第１の信号については送信規制の対象とはせず、前記第２の信号については送信規制の対象とするよう制御するステップと、前記規制が行われると、送信が許可されるまで前記第２の信号の送信を行わないよう制御するステップと、を備える。
【発明の効果】
【００１７】
規制時において、送信する信号の種別に応じて規制を制御する通信端末装置及びその通信制御方法を提供することができる。
【発明を実施するための最良の形態】
【００１８】
以下、本実施形態の携帯端末について説明する。
図２は、本実施形態の携帯端末１００の構成を示すブロック図である。
図２に示すように、本実施形態の携帯端末１００は、送信部１、受信部２、表示部３、入力部４、制御部５を有して構成される通信端末装置である。
【００１９】
送信部１は、ＥＶ−ＤＯ通信網の基地局に対し、信号を送信する。
受信部２は、ＥＶ−ＤＯ通信網の基地局からの信号を受信する。本実施形態では、規制状態であることを基地局ＡＮが各端末に通知する規制状態信号を受信部２にて受信し、後述する送信規制部５２に出力する。
送信部１及び受信部２において送受信される信号は、データ通信のためのユーザデータパケット信号や制御信号等である。
【００２０】
表示部３は、ＬＣＤ（Liquid Crystal Display）等であり、携帯端末１００の動作に関する様々な情報を表示する。例えば、発信・着信時の相手先通知、メール受信通知、メールの内容表示等である。
入力部４は、例えば数字や文字を入力するためのボタンや、十字キー及び決定キー等、ユーザが携帯端末１００に対して入力を行う際に使用するインタフェースである。
【００２１】
制御部５は、携帯端末１００の各構成の制御を行う。
また、制御部５は入力部４によるユーザの入力等に応じて、基地局ＡＮに送信する信号を構築する。
また、本実施形態にかかる携帯端末１００の制御部５は、信号判定部５１、送信規制部５２を更に有する。
【００２２】
信号判定部５１は、送信部１が送信する信号の種類を判別する。すなわち、制御部５が構築した信号を参照し、その信号が、基地局ＡＮに対してユーザデータパケットの交換、すなわちデータ送信要求やデータ受信要求を目的とした接続（トラフィックチャンネルの確立）を要求する接続要求信号“ＣｏｎｎｅｃｔｉｏｎＲｅｑｕｅｓｔ”であるか否かを判定する。
【００２３】
送信規制部５２は、受信部２が基地局から送信される規制状態を示す規制状態信号を受信した場合には、信号判定部５１が判定した、ユーザデータパケット交換を目的とした接続要求信号“ＣｏｎｎｅｃｔｉｏｎＲｅｑｕｅｓｔ”である場合は、送信を規制する。
送信規制部５２は、さらに条件判定部５２１を有する。
条件判定部５２１は、プローブシーケンス（Ｐｒｏｂｅ  Ｓｅｑｕｅｎｃｅ；送信を行うサイクル）ごとに送信規制を実行するためにパーシステンス試験（ｐｅｒｓｉｓｔｅｎｃｅ  ｔｅｓｔ）と呼ばれる判定を行い、接続要求信号がパーシステンス試験に合格するか否かの判定を行う。
【００２４】
パーシステンス試験は３ＧＰＰ２において定められており、受信部２が受信した、規制状態信号中に含まれる値ｐと、条件判定部５２１の用意したランダム値ｘ（０＜ｘ＜１）とを比較することによって行われる。
ｘ＜ｐである場合、試験に合格であり、条件判定部５２１は、試験に合格した接続要求信号を送信部１に送信させる。すなわち、条件判定部５２１にて、所定の条件（試験）を満足すると判定されると、接続要求信号が送信部１を介して基地局ＡＮに送信されて、トラフィックチャンネルが確立されることにより、送信信号の送信が許可される。
【００２５】
不合格である場合は、条件判定部５２１は次のプローブシーケンスに再度パーシステンス試験を行う。よって、不合格である場合には、試験に合格するまで当該試験が繰り返し実施される。そして、規制緩和による値ｐの変更に伴い試験に合格すると、接続要求信号を送信部に送信させる。なお、ユーザによる強制終了操作などにより当該タスク処理が終了された場合には、本処理も終了する。
【００２６】
次に、本実施形態の携帯端末１００の動作例について説明する。
図３は、本実施形態の携帯端末１００の動作例を示すフローチャートである。
ステップＳＴ１：
制御部５は、入力部４によるユーザの入力等に応じて、基地局ＡＮに送信する信号を構築する。ここで構築される信号には、携帯端末１００の識別情報の割り当てを基地局ＡＮに要求する識別情報割り当て要求信号“ＵＡＴＩＲｅｑｕｅｓｔ”、割り当て完了通知信号“ＵＡＴＩＣｏｍｐｌｅｔｅ”を含む、ユーザデータパケット交換を行うための接続要求信号“ＣｏｎｎｅｃｔｉｏｎＲｅｑｕｅｓｔ”等である。
【００２７】
ステップＳＴ２：
信号判定部５１が、ステップＳＴ１において制御部５が構築した信号の判定を行う。ここで判定された信号がユーザデータパケット交換を行うための接続要求信号“ＣｏｎｎｅｃｔｉｏｎＲｅｑｕｅｓｔ”である場合はステップＳＴ３に進み、信号がユーザデータパケットの交換を行うための接続要求信号“ＣｏｎｎｅｃｔｉｏｎＲｅｑｕｅｓｔ”以外である場合、具体的には、ステップＳＴ１において構築された信号がトラフィックチャンネルを介して送信されるシグナリングメッセージ（通話状態や相手の機器の状態を伝送する信号）である場合はステップＳＴ５に進む。
ステップＳＴ３：
送信規制部５２は、ステップＳＴ２において信号判定部５１が判定した信号に対し規制を行う。すなわち、条件判定部５２１は、ステップＳＴ２において信号判定部５１が判定した信号に対し、パーシステンス試験を実施する。試験の結果が合格であった場合はステップＳＴ４に進み、不合格であった場合はステップＳＴ３を繰り返し実施する。
【００２８】
ステップＳＴ４：
送信部１は、信号を基地局ＡＮに対して送信する。
ステップＳＴ５：
送信部１は、信号を基地局ＡＮに対して送信する。
なお、規制率が１００％である場合、ステップＳＴ３におけるパーシステンス試験の値ｐを変更することにより規制が行われる構成としたが、受信される規制状態信号に基づき規制率１００％と判定された場合には、当該フロー処理を終了させて通信制限を行う構成としてもよい。
【００２９】
以上説明したように、本実施形態の携帯端末１００によれば、信号を基地局ＡＮに対して送信する際に、その信号がユーザデータパケットの交換を行うための接続要求信号“ＣｏｎｎｅｃｔｉｏｎＲｅｑｕｅｓｔ”であるか否かを信号判定部５１が判定し、ユーザデータパケットの交換を行うための接続要求信号“ＣｏｎｎｅｃｔｉｏｎＲｅｑｕｅｓｔ”以外であった場合には送信規制部５２による規制を行わず、すなわちパーシステンス試験を行わずにそのまま送信し、ユーザデータパケットの交換を行うための接続要求信号“ＣｏｎｎｅｃｔｉｏｎＲｅｑｕｅｓｔ”であった場合には、送信規制部５２が規制をかけパーシステンス試験を行い合格するまで送信させないので、識別情報割り当て要求信号“ＵＡＴＩＲｅｑｕｅｓｔ”等、ユーザデータパケット交換を目的としない信号を送信する際には規制がかからず、識別情報の割り当てが完了するまでに規制によって長い時間がかかったり、携帯端末１００に大きな負荷がかかったりする事態を回避することができる。
【００３０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３１】
本実施形態においては、パーシステンス試験に合格することが送信可能な所定の条件である規制について説明したが、本発明はこれに限定されない。パーシステンス試験以外の条件を満たすことによって送信可能な状態になる規制をかけられる通信端末装置に対しても本発明は適用可能である。
【００３２】
また、本実施形態では、信号判定部５１が、送信するユーザデータパケット交換を目的とした接続要求信号“ＣｏｎｎｅｃｔｉｏｎＲｅｑｕｅｓｔ”であるか否かを判定し、この判定結果に応じて送信規制部５２が規制を行う例について説明したが、本発明はこれには限定されない。すなわち、信号判定部５１が送信される信号の種別を判定し、判定された信号の種別に応じて送信規制部５２が規制処理を制御する通信端末装置であればどんなものでもよい。
【図面の簡単な説明】
【００３３】
【図１】図１は、携帯端末ＡＴと基地局ＡＮとの接続完了までのシーケンスを示す図である。
【図２】図２は、本実施形態の携帯端末１００の構成を示すブロック図である。
【図３】図３は、本実施形態の携帯端末１００の動作例を示すフローチャートである。
【符号の説明】
【００３４】
１００…携帯端末、１…送信部、２…受信部、３…表示部、４…入力部、５…制御部、５１…信号判定部、５２…送信規制部、５２１…条件判定部
【図１】
0004813176.tif 000002
【図２】
0004813176.tif 000003
【図３】
0004813176.tif 000004